(57)【要約】【課題】本発明は、粒子の移動を制御することで明度、彩度、色相の３つまたは少なくとも１つを制御することができるとともに動作不具合を生じさせることなく良好なカラー表示を安定して行える電気泳動表示装置および電子機器を提供することを目的の一つとしている。【解決手段】本発明の電気泳動表示装置は、第１基板と、第２基板と、電気泳動層３２と、互いに独立に駆動される画素電極および画素電極と、共通電極３７と、第１データ線６８Ａと、第２データ線６８Ｂと、第１データ線６８Ａおよび第２データ線６８Ｂに交差する方向に延びる走査線６６とを備え、一方向に交互に配列される第１データ線６８Ａと第２データ線６８Ｂとの間隔がこれら第１データ線６８Ａおよび第２データ線６８Ｂの配列方向で隣り合う第１画素電極同士、第２画素電極同士或いは第１画素電極および第２画素電極同士の間隔よりも広くなっている。【選択図】図５
2011237581.tif 000002
【特許請求の範囲】
【請求項１】
第１基板および第２基板と、
前記第１基板と前記第２基板との間に配置され、少なくとも分散媒と当該分散媒内に混入された複数の粒子とを有する電気泳動層と、
前記第１基板の前記電気泳動層側に画素ごとに形成され、互いに独立に駆動される第１電極および第２電極と、
前記第２基板の前記電気泳動層側に形成された前記第１電極および前記第２電極の総面積よりも広い面積の第３電極と、
前記第１電極に第１トランジスタを介して接続される第１データ線と、
前記第２電極に第２トランジスタを介して接続される第２データ線と、
前記第１データ線および前記第２データ線に交差する方向に延びる複数の走査線と、を備え、
前記第１データ線及び前記第２データ線をそれぞれ複数有し、前記第１データ線と前記第２データ線とは、一方向に交互に配列され、
隣り合う前記第１データ線と前記第２データ線との間隔が、これら前記第１データ線および前記第２データ線の配列方向で隣り合う前記第１電極どうし、前記第２電極どうしあるいは前記第１電極および前記第２電極どうしの間隔よりも広くなっていることを特徴とする電気泳動表示装置。
【請求項２】
前記第１データ線と前記第２データ線とが等間隔に配列されていることを特徴とする請求項１記載の電気泳動表示装置。
【請求項３】
前記第１データ線あるいは前記第２データ線が少なくとも前記第１電極および前記第２電極のいずれかと平面視で重なっていることを特徴とすることを特徴とする請求項１または２記載の電気泳動表示装置。
【請求項４】
一の前記画素に含まれる複数の前記第１電極どうしは当該第１電極よりも前記第１基板側に形成された第１接続電極により相互に接続され、
一の前記画素に含まれる複数の前記第２電極どうしは当該第２電極よりも前記第１基板側に形成された第２接続電極により相互に接続されていることを特徴とする請求項１から３のいずれか一項に記載の電気泳動表示装置。
【請求項５】
前記第１接続電極が前記第１データ線上に形成され、
前記第２接続電極が前記第２データ線上に形成されることを特徴とする請求項４記載の電気泳動表示装置。
【請求項６】
前記第１電極および前記第２電極が櫛歯形状あるいは島状に形成されていることを特徴とする請求項１から５のいずれか一項に記載の電気泳動表示装置。
【請求項７】
前記第１電極あるいは前記第２電極が前記画素を区画する隔壁として機能することを特徴とする請求項１から４のいずれか一項に記載の電気泳動表示装置。
【請求項８】
前記隔壁が前記第１データ線あるいは前記第２データ線上に形成されていることを特徴とする請求項７記載の電気泳動表示装置。
【請求項９】
前記第１基板および前記第２基板の間隔を保持する前記隔壁が、前記第１トランジスタあるいは前記第２トランジスタに接続される導電部と該導電部の表面を覆う絶縁膜とから構成されていることを特徴とする請求項７または８記載の電気泳動表示装置。
【請求項１０】
前記第１データ線および前記第２データ線と交差する方向に延びる走査線が表示領域内で２つに分岐しており、分岐部分の一方が前記第１トランジスタに接続され、他方が前記第２トランジスタに接続されていることを特徴とする請求項１から９のいずれか一項に記載の電気泳動表示装置。
【請求項１１】
前記第１データ線および前記第２データ線と交差する方向に延びる走査線が前記画素の中央を通るように配置され、該走査線に前記第１トランジスタおよび前記第２トランジスタが接続されていることを特徴とする請求項１から９のいずれか一項に記載の電気泳動表示装置。
【請求項１２】
前記分散媒中に、プラスに帯電した第１の色の前記粒子と、マイナスに帯電した第２の色の前記粒子とが含まれていることを特徴とする請求項１から１１のいずれか一項に記載の電気泳動表示装置。
【請求項１３】
前記分散媒中に、無帯電の第３の色の前記粒子がさらに含まれていることを特徴とする請求項１２に記載の電気泳動表示装置。
【請求項１４】
請求項１から１３のいずれか一項に記載の電気泳動表示装置を備えたことを特徴とする電子機器。
【発明の詳細な説明】
【技術分野】
【０００１】
本発明は、電気泳動表示装置および電子機器に関するものである。
【背景技術】
【０００２】
近年、電子ペーパーなどの表示部として、電気泳動表示装置が用いられるようになっている。電気泳動表示装置は、液相分散媒（分散媒）に複数の電気泳動粒子が分散された電気泳動分散液を有する構成になっている。電気泳動表示装置は、電界を印加することで電気泳動粒子の分布状態が変化し、電気泳動分散液の光学特性が変化することを表示に利用した装置である。
【０００３】
このような電気泳動表示装置において、下記特許文献１，２に記載されているような３粒子を用いたカラー電気泳動表示装置の概念が提案されている。そこでは、正帯電粒子、負帯電粒子、無帯電粒子の３粒子が３つの電極を用いて駆動されることが記載されている。
【先行技術文献】
【特許文献】
【０００４】
【特許文献１】特開２００９−９０９２号公報
【特許文献２】特開２００７−９８３８２号公報
【発明の概要】
【発明が解決しようとする課題】
【０００５】
しかしながら、上記特許文献では、カラー電気泳動表示装置を実現するために１つのサブ画素で明度および彩度の制御性に課題があり、フルカラー表示を行うことが困難である。カラー電気泳動表示装置において、明度、彩度、色相の３つまたは少なくとも１つをアナログ的に制御する方法が提案されていない。
【０００６】
本発明は、上記従来技術の問題点に鑑み成されたものであって、粒子の移動を制御することで明度、彩度、色相の３つまたは少なくとも１つを制御することができるとともに動作不具合を生じさせることなく良好なカラー表示を安定して行える電気泳動表示装置および電子機器を提供することを目的の一つとしている。
【課題を解決するための手段】
【０００７】
本発明者は、図１９に示すように、１画素内に正帯電粒子および負帯電粒子に対応する２つの画素電極１３５Ａ，１３５Ｂを備えるレイアウトを考案したが、この場合、１画素に２つのトランジスタＴＲ１，ＴＲ２が必要となり、必然的にデータ線６８の本数が２倍に増加する。このため、データ線６８どうしの間の距離が狭くなり、異物などによるショート不良が生じやすくなった。これに起因して、歩留まりが低下するという課題が生じていた。さらに、データ線６８上にシールド電極が形成されていないため、データ線６８の電圧が画素の電気泳動材料に直接印加され、その電圧により表示に影響が及ぶという課題も生じていた。
本発明はこのような課題の解決も図るものである。
【０００８】
本発明の電気泳動表示装置は、上記課題を解決するために、第１基板および第２基板と、前記第１基板と前記第２基板との間に配置され、少なくとも分散媒と当該分散媒内に混入された複数の粒子とを有する電気泳動層と、前記第１基板の前記電気泳動層側に画素ごとに形成され、互いに独立に駆動される第１電極および第２電極と、前記第２基板の前記電気泳動層側に形成された前記第１電極および前記第２電極の総面積よりも広い面積の第３電極と、前記第１電極に第１トランジスタを介して接続される第１データ線と、前記第２電極に第２トランジスタを介して接続される第２データ線と、前記第１データ線および前記第２データ線に交差する方向に延びる複数の走査線と、を備え、前記第１データ線及び前記第２データ線をそれぞれ複数有し、前記第１データ線と前記第２データ線とは、一方向に交互に配列され、隣り合う前記第１データ線と前記第２データ線との間隔が、これら前記第１データ線および前記第２データ線の配列方向で隣り合う前記第１電極どうし、前記第２電極どうしあるいは前記第１電極および前記第２電極どうしの間隔よりも広くなっていることを特徴とする。
【０００９】
本発明によれば、第１電極、第２電極および第３電極に所定の電圧を印加することによって、各第１電極および第２電極と第３電極との間に生じる電圧差に応じて、帯電した粒子の移動や分布範囲を制御することができる。これにより、明度、彩度、色相の３つまたは少なくとも１つを制御することができ、良好なカラー表示が行える電気泳動表示装置を提供することができる。また、本発明では一方向に交互に配列される第１データ線と第２データ線との間隔がこれら第１データ線および第２データ線の配列方向で隣り合う第１電極どうし、第２電極どうしあるいは第１電極および第２電極どうしの間隔よりも広くなっていることから、１画素内に２つの電極（第１電極および第２電極）を設けた場合でも、第１データ線と第２データ線との間での短絡を防止することができる。これにより、動作不具合を生じさせることなくフルカラー表示を行うことができる。
【００１０】
また、前記第１データ線と前記第２データ線とが等間隔に配列されていることが好ましい。
【００１１】
本発明によれば、第１データ線と第２データ線との間隔が広くなり、異物等によるデータ線間の短絡不良が防止されてより安定した駆動を行える。
【００１２】
また、前記第１データ線あるいは前記第２データ線が少なくとも前記第１電極および前記第２電極のいずれかと平面視で重なっていることが好ましい。
【００１３】
本発明によれば、第１データ線あるいは第２データ線上がシールドされてこれら第１および第２データ線の電圧を電気泳動層に直接印加され、その電圧により表示に影響が及びことが防止される。
【００１４】
また、一の前記画素に含まれる複数の前記第１電極どうしは当該第１電極よりも前記第１基板側の第１接続電極により相互に接続され、一の前記画素に含まれる複数の前記第２電極どうしは当該第２電極よりも前記第１基板側に形成された第２接続電極により相互に接続されていることが好ましい。
【００１５】
本発明によれば、第１電極どうしあるいは第２電極どうしに対して同時に同じ電圧を印加することができる。
【００１６】
また、前記第１接続電極が前記第１データ線上に形成され、前記第２接続電極が前記第２データ線上に形成されることが好ましい。
【００１７】
本発明によれば、第１接続電極および第２接続電極が各データ線のシールド電極として機能する。
【００１８】
また、前記第１電極および前記第２電極が櫛歯形状あるいは島状に形成されていることが好ましい。
【００１９】
本発明によれば、第１および第２電極が櫛歯形状あるいは島状に形成されていることから、第３電極側に粒子を線状あるいは小さなドットの領域で分布させることが可能となる。これにより、階調の制御が行える。
【００２０】
また、前記第１電極あるいは前記第２電極が前記画素を区画する隔壁として機能することが好ましい。
【００２１】
本発明によれば、第１電極あるいは第２電極を、画素を区画する隔壁として機能させることにより、このような隔壁側にも粒子を移動させることが可能となる。これにより、中間階調の表示も可能となる。
【００２２】
また、前記隔壁が前記第１データ線あるいは前記第２データ線上に形成されていることが好ましい。
【００２３】
本発明によれば、隔壁を第１および第２データ線上のシールド電極として機能させることが可能となり、各データ線の電圧が電気泳動層に直接印加されて動作不良が生じるのを防止することができる。
【００２４】
また、前記第１基板および前記第２基板の間隔を保持する前記隔壁が、前記第１トランジスタあるいは前記第２トランジスタに接続される導電部と該導電部の表面を覆う絶縁膜とから構成されていることが好ましい。
【００２５】
本発明によれば、第２基板側に形成される第３電極と隔壁との短絡を防止することができる。
【００２６】
また、前記第１データ線および前記第２データ線と交差する方向に延びる走査線が表示領域内で２つに分岐しており、分岐部分の一方が前記第１トランジスタに接続され、他方が前記第２トランジスタに接続されていることが好ましい。
【００２７】
本発明によれば、画素内の第１および第２トランジスタを同時にオン状態にすることができる。
【００２８】
また、前記第１データ線および前記第２データ線と交差する方向に延びる走査線が前記画素の中央を通るように配置され、該走査線に前記第１トランジスタおよび前記第２トランジスタが接続されていることが好ましい。
【００２９】
本発明によれば、画素内の第１および第２トランジスタを同時にオン状態にすることができるとともに第１基板上における走査線の引き回しが容易になる。
【００３０】
また、前記分散媒中に、プラスに帯電した第１の色の前記粒子と、マイナスに帯電した第２の色の前記粒子とが含まれていることが好ましい。
【００３１】
本発明によれば、正負に帯電した各粒子の移動および分布状態を制御することによって任意の色を表示することができる。つまり、第１電極および第２電極に印加する電圧の極性によって第３電極側への帯電粒子の移動を制御することができる。これにより、任意の色の粒子を第３電極上に分布させることが可能である。第３電極側から見たときに視認される粒子の色の混合によってフルカラー表示を行うことができる。
【００３２】
また、前記分散媒中に、無帯電の第３の色の前記粒子がさらに含まれていることが好ましい。
本発明によれば、分散媒中に、無帯電の第３の色の粒子がさらに含まれていることから、第１の色の粒子、第２の色の粒子との組み合わせによって複数色の表示が可能となり、良好なカラー表示が行える電気泳動表示装置を提供することができる。
【００３３】
本発明の電子機器は、本発明の電気泳動表示装置を備えたことを特徴とする。
本発明によれば、表示画像（表示色）の明度、彩度、色相の少なくともいずれかを適宜制御することが可能であるとともにデータ線間の短絡を防止した、安定したカラー表示が行える表示部を備えていることから、信頼性に優れた高品位な電子機器が得られる。
【図面の簡単な説明】
【００３４】
【図１】第１実施形態に係る電気泳動表示装置の全体構成を示す図であって、（ａ）平面図、（ｂ）等価回路図。
【図２】電気泳動表示装置の１画素の構成を示す図。
【図３】電気泳動表示装置のサブ画素の構成を示す部分断面図。
【図４】３粒子を用いた電気泳動表示装置の動作原理図。
【図５】電気泳動表示装置における等価回路図
【図６】電気泳動表示装置における画素構成を示す平面図。
【図７】電気泳動表示装置における画素構成を示す平面図。
【図８】図７のＡ−Ａ線に沿う断面図。
【図９】第２実施形態の電気泳動表示装置の素子基板上の構成を示す平面図。
【図１０】図９のＢ−Ｂ線に沿う断面図。
【図１１】第３実施形態の電気泳動表示装置の構成を示す等価回路図。
【図１２】画素構成を示す平面図。
【図１３】第４実施形態の電気泳動表示装置の画素構成を示す平面図。
【図１４】第５実施形態の電気泳動表示装置の画素構成を示す平面図。
【図１５】図１４のＣ−Ｃ線に沿う断面図。
【図１６】第６実施形態の電気泳動表示装置の画素構成を示す平面図。
【図１７】他の実施形態の電気泳動表示装置の素子基板上の構成を示す平面図。
【図１８】電子機器の一例を示す図。
【図１９】従来の電気泳動表示装置の素子基板上に構成を示す平面図。
【発明を実施するための形態】
【００３５】
以下、本発明の実施形態につき、図面を参照して説明する。なお、以下の説明に用いる各図面では、各部材を認識可能な大きさとするため、各部材の縮尺を適宜変更している。
【００３６】
［第１実施形態］
図１（ａ）は、電気泳動表示装置１００の全体構成を示す平面図である。
図１（ａ）に示すように、本実施形態の電気泳動表示装置１００は、素子基板３００が対向基板３１０よりも大きな平面寸法を有しており、対向基板３１０よりも外側に張り出した素子基板３００上に２つの走査線駆動回路６１と２つのデータ線駆動回路６２とが外部機器と接続するためのフレキシブル基板２０１，２０２上にＣＯＦ（Chip On Film）実装（あるいはＴＡＢ（Tape Automated Bonding）実装）されている。そして、走査線駆動回路６１が実装されたフレキシブル基板２０１が、素子基板３００の一短辺に沿った辺縁部に形成された端子形成領域に、ＡＣＰ（異方性導電ペースト）やＡＣＦ（異方性導電フィルム）等を介して実装されている。ここで、素子基板３００は、後述する第１基板３０を基体として構成され、対向基板３１０は、後述する第２基板３１を基体として構成されている。
【００３７】
また、データ線駆動回路６２が実装されたフレキシブル基板２０２が、素子基板３００の一長辺に沿った辺縁部に形成された端子形成領域に、ＡＣＰやＡＣＦ等を介して実装されている。各端子形成領域には、それぞれ複数の接続端子が形成されており、各々の接続端子に対して表示部５から延びる後述の走査線やデータ線が接続されている。
【００３８】
また、素子基板３００と対向基板３１０とが重なる領域に表示部５が形成されており、表示部５から延びる配線（走査線６６やデータ線６８）は、走査線駆動回路６１及びデータ線駆動回路６２が実装されている領域に延出され、当該実装領域に形成された接続端子に接続されている。そして、かかる接続端子に対してフレキシブル基板２０１，２０２がＡＣＰやＡＣＦを介して実装されている。
【００３９】
図１（ｂ）は、電気泳動表示装置の全体構成を示す等価回路図である。
図１（ｂ）に示すように、電気泳動表示装置１００の表示部５には、複数の画素４０がマトリクス状に配列されている。表示部５の周辺には、走査線駆動回路６１およびデータ線駆動回路６２が配置されている。走査線駆動回路６１およびデータ線駆動回路６２は、それぞれコントローラー（不図示）と接続されている。コントローラーは、上位装置から供給される画像データや同期信号に基づき、走査線駆動回路６１およびデータ線駆動回路６２を総合的に制御する。
【００４０】
表示部５には走査線駆動回路６１から延びる複数の走査線６６と、データ線駆動回路６２から延びる複数のデータ線６８とが形成されており、これらの交差位置に対応して画素４０が設けられている。画素４０には、２本の異なるデータ線６８Ａ（第１データ線）およびデータ線６８Ｂ（第２データ線）が接続されている。
【００４１】
走査線駆動回路６１は、複数の走査線６６を介して各々の画素４０に接続されており、コントローラーの制御のもと、各走査線６６を順次選択し、画素４０に設けられた選択トランジスタＴＲ１，ＴＲ２（図５参照）のオンタイミングを規定する選択信号を、選択した走査線６６を介して供給する。データ線駆動回路６２は、複数のデータ線６８を介して各々の画素４０に接続されており、コントローラーの制御のもと、画素４０の各々に対応する画素データを規定する画像信号を画素４０に供給する。
【００４２】
図２は、電気泳動表示装置の１画素の構成を示す図である。
図２に示すように、カラー表示を実現するにあたり１つの画素がＲ（赤）、Ｇ（緑）、Ｂ（青）の３つのサブ画素４０ｒ（Ｓ），４０ｇ（Ｓ），４０ｂ（Ｓ）から構成されており、各色の光強度を制御することによってフルカラー表示を行う。
なお、サブ画素の配置位置は図示したものに限らない。
【００４３】
図３は、電気泳動表示装置のサブ画素の構成を示す部分断面図である。
電気泳動表示装置１００は、素子基板３００（第１基板）と対向基板３１０（第２基板）との間に、３粒子系の電気泳動層３２が設けられた構成を備えている。電気泳動層３２は、透明な分散媒２１（Ｔ）中にマイナスに帯電した黒色の負帯電粒子２６（Ｂｋ）、プラスに帯電した白色の正帯電粒子２７（Ｗ）と、マゼンタ色の無帯電粒子２８（Ｍ）が保持されてなる。対向基板３１０の電気泳動層３２側には表示エリアのほぼ全面に共通電極３７（第３電極）が形成されている。素子基板３００は、電気泳動層３２側の表面に、回路素子層３８を有している。素子基板３００の電気泳動層３２側、すなわち回路素子層３８上にはサブ画素Ｓごとに第１画素電極３５Ａ（第１電極）および第２画素電極３５Ｂ（第２電極）がそれぞれ複数ずつ形成されている（図３中では各画素電極３５Ａ，３５Ｂをそれぞれ１つずつ図示してある）。これら第１画素電極３５Ａおよび第２画素電極３５Ｂは所定の直径で形成された平面視円形状を呈しているが、製品仕様によっては全て均一な直径であってもいいし、異なる直径で形成されていても良い。また、画素電極３５Ａ，３５Ｂの平面視形状も円形状に限らず、その他の形状（例えば、多角形状、楕円形状）であっても構わない。
上記した共通電極３７はこれら画素電極３５Ａ，３５Ｂの総面積よりも大きい面積を有する。
また、本実施形態における画素電極３５Ａと画素電極３５Ｂとはそれぞれ互いに独立して駆動可能となっている。
【００４４】
素子基板３００は、ガラスやプラスチック等からなる第１基板３０と、第１基板３０上に形成された回路素子層３８とを有してなり、画像表示面とは反対側に配置されるため透明なものでなくてもよい。画素電極３５Ａ，３５Ｂは、Ｃｕ箔上にニッケルめっきと金めっきとをこの順で積層したものや、Ａｌ、ＩＴＯ（インジウム錫酸化物）などにより形成された電極である。図示は省略しているが、回路素子層３８には、図１及び図４に示した走査線６６、データ線６８、選択トランジスタＴＲ１，ＴＲ２などが形成されている。
【００４５】
一方、対向基板３１０はガラスやプラスチック等からなる第２基板３１を有している。この第２基板３１は、画像表示側に配置されるため透明基板とされる。第２基板３１の電気泳動層３２側には複数の画素電極３５Ａ，３５Ｂと対向する平面形状の共通電極３７が形成されており、共通電極３７上に電気泳動層３２が設けられている。共通電極３７は、ＭｇＡｇ、ＩＴＯ、ＩＺＯ（インジウム・亜鉛酸化物）などから形成された透明電極である。
このような対向基板３１０は、隔壁１３を介して素子基板３００上に対向配置される。
【００４６】
素子基板３００と対向基板３１０との間には３粒子系の電気泳動層３２が保持されている。電気泳動層３２は、透明な分散媒２１（Ｔ）中にマイナスに帯電した黒色の負帯電粒子２６（Ｂｋ）（第１の色の粒子）、プラスに帯電した白色の正帯電粒子、赤色の無帯電粒子２８（Ｒ）を分散している。帯電した粒子（負帯電粒子２６（Ｂｋ）、正帯電粒子２７（Ｗ））は、電気泳動層３２中において電気泳動粒子として振る舞う。観測者は第２基板３１側から表示を観察するものとする。
【００４７】
図４に、３粒子を用いた電気泳動表示装置の動作原理を示す。
また、各画素電極３５Ａ,３５Ｂに印加される正の電圧のうち絶対値が最大となる電圧を電圧ＶＨ（以下、正の最大値とも称する）、負の電圧のうち絶対値が最大となる電圧を電圧ＶＬ（以下、負の最大値とも称する）とする。
なお、「電極に電圧を印加する」とは、「電極に対して、グランド電位との間で当該電圧を生じさせるような電位を供給する」ことと同義である。
【００４８】
図４（ａ）は赤表示のときの粒子の分布状態を示す。
ここでは、第１画素電極３５Ａにプラスの電圧ＶＨを印加し、第２画素電極３５Ｂにマイナスの電圧ＶＬを印加している。すると、マイナスに帯電した負帯電粒子２６（Ｃ）は第１画素電極３５Ａ上に吸着し、プラスに帯電した正帯電粒子２７（Ｙ）は第２画素電極３５Ｂ上に吸着する。外部から入射した光は分散媒２１中を浮遊する赤色の無帯電粒子２８（Ｒ）にて散乱され、赤色となって共通電極３７側から出光する。
【００４９】
図４（ｂ）は黒表示のときの粒子の分布状態を示す。
赤表示から黒表示へ表示を切り替える場合は、第１画素電極３５Ａおよび第２画素電極３５Ｂにそれぞれマイナスの電圧ＶＬを印加する。すると、マイナスに帯電した負帯電粒子２６（Ｂｋ）は全て共通電極３７側へと移動する。プラスに帯電した正帯電粒子２７（Ｗ）は第２画素電極３５Ｂ上に吸着した状態となる。外部から入射した光は共通電極３７上に分布する負帯電粒子２６（Ｂｋ）にて散乱され、黒色となって共通電極３７側から出光する。
【００５０】
図４（ｃ）は白表示のときの粒子の分布状態を示す。
ここでは、まず図４（ａ）に示した状態から電圧を印加する。そして、第１画素電極３５Ａおよび第２画素電極３５Ｂにプラス電圧ＶＨを印加する。すると、第２画素電極３５Ｂ上の全ての正帯電粒子２７（Ｗ）が共通電極３７側へと移動する。負帯電粒子２６（Ｂｋ）は第１画素電極３５Ａ上に集合した状態となる。外部から入射した光は共通電極３７上に分布する正帯電粒子２７（Ｗ）にて散乱され、白色となって共通電極３７側から出光する。
【００５１】
図４（ｄ）は暗い赤表示のときの粒子の分布状態を示す。
ここでは、まず図４（ａ）に示した状態から電圧を印加する。そして、第２画素電極３５Ｂにマイナス電圧ＶＬを印加して全ての正帯電粒子２７（Ｗ）を第２画素電極３５Ｂ上に集合させる。第１画素電極３５Ａには上記マイナス電圧ＶＬよりも小さいマイナス電圧Ｖｌ（Ｖｌ＜ＶＬ）を印加し、第１画素電極３５Ａ上の負帯電粒子２６（Ｂｋ）の一部が共通電極３７側へと移動させる。これにより、共通電極３７上には小さな黒ドットが複数形成され、これら黒ドットの間に無帯電粒子２８（Ｒ）が分布する。ここでは、負帯電粒子２６（Ｂ）による黒表示が画素領域全体のおよそ１／３の面積を占め、無帯電粒子２８（Ｒ）による赤表示が画素領域全体のおよそ２／３の面積を占めている。このような黒表示（黒粒子）の分布によって暗い赤を表現することができる。
【００５２】
なお、共通電極３７側への帯電粒子２６（Ｂｋ）,２７（Ｗ）の移動量および分布範囲の制御は、画素電極３５Ａ，３５Ａ間の距離や画素電極３５Ａ，３５Ａの大きさ等の設計要因や印加電圧によって可能である。また、上記では各画素電極３５Ａ，３５Ｂに印加する電圧の大きさで帯電粒子２６（Ｂｋ）,２７（Ｗ）の移動量および分布範囲を制御したが、電圧の印加時間の長短でも制御することが可能である。
【００５３】
明度の制御は、共通電極３７の外側から電気泳動層３２を見たときに視認される粒子の面積により行なわれる。
ここで、粒子２７（Ｗ）による白表示には、入射光が粒子により複数回散乱されることが必要なため、電気泳動層３２内の３次元的な深さ方向の分布も必要になる。上記した視認される面積とは、粒子の２次元、３次元的分布を含めて実際に視認される実効的な面積をさす。
以上説明したように、帯電粒子２６，２７の移動量および分布範囲を制御することによって、各画素における明度の制御が可能である。
【００５４】
以下に、本実施形態の電気泳動表示装置の構成について詳述する。
図５は、電気泳動表示装置における等価回路図である。
図５に示すように、本実施形態の電気泳動表示装置では１つのサブ画素Ｓ内に２つの選択トランジスタＴＲ１，ＴＲ２および２つの画素電極３５Ａ，３５Ｂが設けられている。各サブ画素Ｓにおける画素回路は、電気光学材料としての電気泳動層３２と、この電気泳動層３２に電圧を供給するためのスイッチング動作を行う選択トランジスタＴＲ１，ＴＲ２と、これら選択トランジスタＴＲ１，ＴＲ２にそれぞれ接続される画素電極３５Ａ，３５Ｂと、共通電極３７とを含んでそれぞれ構成されている。２つの選択トランジスタＴＲ１，ＴＲ２で画素電極３５Ａ，３５Ｂへの印加電圧を独立に制御することでクロストークのない画像表示を行うことができる。
【００５５】
具体的には、選択トランジスタＴＲ１，ＴＲ２の各ゲートに走査線６６が接続されており、各ソースにデータ線６８Ａ，６８Ｂが接続され、各ドレインに電気泳動層３２が接続されている。具体的には、データ線６８Ａ，６８Ｂの延在列方向で隣り合うサブ画素Ｓ（Ａ），Ｓ（Ｂ）のうちサブ画素Ｓ（Ａ）においては、選択トランジスタＴＲ１，ＴＲ２のそれぞれのゲートにｍ行の走査線６６が接続されている。走査線６６は、サブ画素Ｓ内においては２本の走査線６６Ａ，６６Ｂに分岐されているが表示領域外において１本にまとめられており、同一の電圧が印加される。
【００５６】
そして、選択トランジスタＴＲ１のソースにＮ（Ａ）行のデータ線６８Ａが接続され、ドレインに接続電極４４Ａ（第１接続電極）を介して画素電極３５Ａ（電気泳動層３２）が接続されている。一方、選択トランジスタＴＲ２のソースにＮ（Ｂ）行のデータ線６８Ｂに接続され、ドレインに接続電極４４Ｂ（第２接続電極）を介して画素電極３５Ｂ（電気泳動層３２）が接続されている。
【００５７】
図６および図７は、電気泳動表示装置における画素構成を示す平面図である。
図６に示すように、接続電極４４Ａ，４４Ｂは、走査線６６に沿って延在する幹部４４１と当該幹部４４１によって連結された複数の枝部４４２（本実施形態では２つ：４４２ａ，４４２ｂ）とを有してなる。各接続電極４４Ａ，４４Ｂは櫛歯状を呈しており、互いにかみ合うようにしてサブ画素Ｓ（４０ｒ，４０ｇ，４０ｂ）内に配置されている。つまり、第１接続電極４４Ａの枝部４４２ａの両側に第２接続電極４４Ｂの枝部４４２ｂ，４４２ｂが存在する状態となっている。接続電極４４Ａ，４４Ｂの形状を櫛歯形状にすることで、画素電極３５Ａ，３５Ｂ間で粒子が移動しやすいようになっている。
【００５８】
図６に示すように、第１接続電極４４Ａの枝部４４２は第１画素電極３５Ａに対応し、第２接続電極４４Ｂの枝部４４２は第２画素電極３５Ｂに対応している。
そして、１画素を区画するようにして隔壁１３が配置され、第１画素電極３５Ａおよび第２画素電極３５Ｂを囲むように枠状を呈している。隔壁１３は、液晶装置と同様の材料が用いられ、ここでは感光性のアクリル系の材料が用いられている。あるいは無機材料、有機材料を用いてもよく、熱硬化型のエポキシ系樹脂を用いてもよい。
【００５９】
複数のデータ線６８Ａ，６８Ｂは互いにほぼ等間隔で配列されている。具体的には、隣り合うデータ線６８Ａ，６８Ｂどうしの間隔が、隣り合うサブ画素Ｓに最も近い画素電極３５Ａ，３５Ｂどうしの配置間隔よりも広くなっている。これによりデータ線６８Ａ，６８Ｂどうしの間に十分な距離を確保することができ、ショートによる不良を効果的に防止し得る。図１８に示す従来の構成の場合、１３．３インチのパネルで異物などによるショート不良の発生率が３０％あったのに対し、本実施形態の構成の場合だと０．５％に低減したことからも効果的であると言える。
【００６０】
なお、隣り合うデータ線６８Ａ，６８Ｂどうしの間隔が必ずしも正確な等間隔である必要はなく、異物などによってショートが生じない間隔に設定することで同様の効果が得られる。一般的に知られているが、２つの配線間のショートの確立は配線間の距離が広がるとエクスポネンシャル的に減少する。そのため、配線間である程度の距離が保たれていれば問題はない。
従来の構成（図１８）と比較すると、データ線６８Ａ，６８Ｂ上に画素電極３５の一部が平面視で重なる構成であれば、データ線６８Ａ，６８Ｂ間の距離も一定以上保たれて、製造歩留まりも安定する。
さらに隔壁１３の下にデータ線６８Ａ、６８Ｂを設ける必要が無いため、隔壁１３の幅を小さくでき、開口率を向上させる事ができる。
【００６１】
これらデータ線６８Ａ，６８Ｂと接続電極４４Ａ，４４Ｂの枝部４４２ａ，４４２ｂとの延在方向は互いに一致しており、データ線６８Ａ，６８Ｂのそれぞれが接続電極４４Ａおよび接続電極４４Ｂの両方と平面視で重なるように形成されている。
【００６２】
具体的に、データ線６８Ａは、接続電極４４Ａ，４４Ｂの各幹部４４１の一部と、接続電極４４Ａの枝部４４２ａとに重畳しており、データ線６８Ｂは、接続電極４４Ａ，４４Ｂの各幹部４４１の一部と、接続電極４４Ｂの枝部４４２ｂとに重畳している。図示するように接続電極４４Ａ，４４Ｂの各枝部４４２ａ，４４２ｂの幅はデータ線６８Ａ，６８Ｂの幅よりも広い寸法で形成されている。
【００６３】
本実施形態では、第１画素電極お３５Ａおよび第２画素電極３５Ｂが平面視で円形状に形成されているが、この直径はセルギャップよりも小さい形状とされており、セルギャップの１／２以下がより好ましい。これにより、共通電極３７上での表示ドット（帯電粒子の分布範囲）の大きさを小さくすることができ、淡い色表示が可能となる。その結果、表現できる色範囲が広がる。島状に形成された第１画素電極３５Ａおよび第２画素電極３５Ｂは画素ごとに複数ずつ設けられており、例えば１画素における総面積が１／４以下の面積となっている。
【００６４】
また、画素電極３５Ａ，３５Ｂは同一画素エリア内で重ならないように、互いに所定の距離を設けて配置されている。
なお、画素電極３５Ａ，３５Ｂの平面形状は円形に限らず、多角形でもよい。
【００６５】
図８は、図７のＡ−Ａ線に沿う断面図である。
図８に示すように、素子基板３００は、厚さ０．５ｍｍのガラス基板からなる第１基板３０を有してなる。第１基板３０の表面上には、厚さ３００ｎｍのアルミニウム（Ａｌ）からなるゲート電極４１ｅ（走査線６６）が形成されている。そして、このゲート電極４１ｅを覆うようにして第１基板３０の表面全体に厚さ４００ｎｍの酸化シリコン膜からなるゲート絶縁膜４１ｂが形成され、ゲート電極４１ｅの直上に厚さ５０ｎｍのａ−ＩＧＺＯ（Ｉｎ、Ｇａ、Ｚｎの酸化物）からなる半導体層４１ａが形成されている。
【００６６】
このゲート絶縁膜４１ｂ上には、厚さ３００ｎｍのＡｌからなるソース電極４１ｃ（データ線６８）およびドレイン電極４１ｄがゲート電極４１ｅおよび半導体層４１ａと一部重なるようにそれぞれ設けられている。ソース電極４１ｃとドレイン電極４１ｄは半導体層４１ａに一部乗り上げるようにして形成されている。その上に厚さ２００ｎｍの窒化シリコン膜からなる第１層間絶縁膜４２Ａが形成されている。また、厚さ３００ｎｍのアルミニウム（Ａｌ）からなる接続電極４４Ａ（４４Ｂ）が第１層間絶縁膜４２Ａ上に形成されており、コンタクトホールＨ３を介してドレイン電極４１ｄと接続されている。この接続電極４４Ａ（４４Ｂ）は、選択トランジスタＴＲ１（ＴＲ２）およびデータ線６８Ａ（６８Ｂ）を覆うようにして形成されている。このため選択トランジスタＴＲ１やデータ線６８Ａ（６８Ｂ）上に画素電極３５Ａ，３５Ｂを形成する事ができ、開口率を向上させる事ができる。
【００６７】
隣り合うデータ線６８Ａ，６８Ｂ間にこれらを覆う接続電極４４Ａ，４４Ｂを存在させることにより、隣り合うデータ線６８Ａ，６８Ｂ間のシールド効果と、各データ線６８Ａ，６８Ｂの電圧変化による影響の軽減が図れる。
【００６８】
ここで、選択トランジスタＴＲ１，ＴＲ２としては、一般的なａ−ＳｉＴＦＴ、ポリＳｉＴＦＴ、有機ＴＦＴ、酸化物ＴＦＴ等が使用可能である。構造もトップゲート、ボトムゲート構造共に可能である。
【００６９】
選択トランジスタＴＲ１，ＴＲ２および接続電極４４Ａ,４４Ｂ上にはこれらを覆うようにして、厚さ３００ｎｍの酸化シリコン膜からなる第２層間絶縁膜４２Ｂと、厚さ１μｍの感光性アクリルからなる第３層間絶縁膜４３とが形成されている。第３層間絶縁膜４３は平坦化膜として機能する。なお、第２層間絶縁膜４２Ｂに平坦化膜としての機能を付与できれば第３層間絶縁膜４３は必ずしも必要ではなく、省略することができる。そして、これら第２層間絶縁膜４２Ｂおよび第３層間絶縁膜４３に形成されたコンタクトホールＨ１，Ｈ２を介して５０ｎｍのＩＴＯからなる画素電極３５Ａ，３５Ｂが複数設けられている。
【００７０】
このようにして構成される素子基板３００の最表面上には、画素領域を区画する隔壁１３が所定の高さで形成されている。この隔壁１３によって素子基板３００と対向基板３１０間との距離が保たれている。
【００７１】
本実施形態の電気泳動表示装置１００によれば、素子基板３００の第１基板３０上に複数のデータ線６８Ａ，６８Ｂが略等間隔に配列されており、配線間に十分な距離が確保されている。これにより、異物によるショート不良が防止されて、選択トランジスタＴＲ１，ＴＲ２の破壊等を阻止することができ、製造歩留まりも安定する。
【００７２】
データ線６８Ａ，６８Ｂ上には、上記した接続電極４４Ａ，４４Ｂおよび画素電極３５Ａ，３５Ｂがそれぞれ平面視で重なるようにして形成されている。従来よりも画素領域の内側にデータ線６８Ａ，６８Ｂを位置させることによって、隣り合う画素同士のデータ線６８Ａ，６８Ｂ間の距離を十分に確保した構成となっている。
【００７３】
また、本実施形態では、ドット形状の複数の画素電極３５Ａ，３５Ｂがそれぞれ下層側に設けられた櫛歯形状の接続電極４４Ａ，４４Ｂによって接続され、接続電極４４Ａ、４４Ｂはデータ線６８Ａ、６８Ｂを覆う構成となっている。このような構成とすることによってデータ線６８Ａ，６８Ｂの電気泳動材料への電界の漏れがシールドされて、不具合が生じなくなった。すなわち、データ線６８Ａ，６８Ｂによって形成される電界が各画素４０の電気泳動材料に漏れることでクロストークが発生して表示品位が低下しうる。したがって、上記した構成にすることでクロストークの発生を防止すれば表示品質を向上させる効果は大きい。
【００７４】
［第２実施形態］
次に、本発明に係る電気泳動表示装置の第２実施形態について述べる。
図９は、第２実施形態の電気泳動表示装置の素子基板上の構成を示す平面図、図１０は図９のＢ−Ｂにおける断面図である。
以下の説明において、先の実施形態と同様の構成の説明は省略し、異なる構成についてのみ説明する。
図１０に示すように本実施例の断面図には図８に用いられた第１層間絶縁膜４２ＡとコンタクトホールＨ３、ソース・ドレイン電極とは異なる層の接続電極４４Ａは用いられていない。接続電極はドレイン電極４４ｄと同層で形成されている。このため少ない工程数で作成できるが、選択トランジスタＴＲ１（ＴＲ２）上に画素電極３６Ａ、３６Ｂを形成することはできない。
【００７５】
図９に示すように、本実施形態の電気泳動表示装置は、各サブ画素Ｓ（４０ｒ，４０ｇ，４０ｂ）に、２つの選択トランジスタＴＲ１，ＴＲ２と、２つの画素電極３６Ａ，３６Ｂとが設けられている。ここで、画素電極３６Ａ，３６Ｂは先の実施形態のようなドット形状（円形状）櫛歯形状ではなく平面視で四角形に近いＬ字状を呈してなり、各サブ画素Ｓごとにデータ線６８Ａ，６８Ｂの延在方向に沿って並べて配置されている。
【００７６】
このように、画素電極３６Ａ，３６Ｂの形状サブ画素の略半分の領域を占める大きさで形状にすることで、サブ画素内で画素電極３６Ａ，３６Ｂの占める割合が多くなるため、電気泳動粒子を効率よく移動させることができる。
【００７７】
また、本実施形態においても先の実施形態と同様に、素子基板３００の第１基板３０上に複数のデータ線６８Ａ，６８Ｂが略等間隔で配列され、画素電極３６Ａ，３６Ｂのそれぞれに平面視で重なるように形成されている。このためサブ画素間のデータ線６８Ａ、６８Ｂ間の間隔は画素電極３６Ａ（３６Ｂ）間より長くなるように設けてあり、これによって異物によるデータ線６８Ａ，６８Ｂ間のショートが防止される構成となっている。これにより、駆動素子等の不具合の発生が防止されるとともに、製造歩留まりも安定するという効果が得られる。
【００７８】
［第３実施形態］
次に、本発明に係る電気泳動表示装置の第３実施形態について述べる。
図１１は、第３実施形態の電気泳動表示装置の構成を示す等価回路図、図１２は、画素構成を示す平面図である。
以下の説明において、第１の実施形態と同様の構成の説明は省略し、異なる構成についてのみ説明する。
図１１に示すように、本実施形態の電気泳動表示装置は、１つのサブ画素Ｓ内に２つの選択トランジスタＴＲ１，ＴＲ２、２つの画素電極５６Ａ，５６Ｂ、電気泳動層３２、共通電極３７、２つの保持容量Ｃｓが設けられている。
【００７９】
保持容量Ｃｓは、誘電体膜を介して対向配置された一対の電極１０ａ，１０ｂを有してなり、一方の電極１０ａに選択トランジスタＴＲ１のドレインと接続電極４４Ａが接続されている。各サブ画素における保持容量Ｃｓの電極１０ｂは、選択トランジスタＴＲ１，ＴＲ２のゲート電極と同時に形成された保持容量線６９（図１２）に接続され、それぞれが同一電位に保持されている。なお、保持容量はデータ線６８Ａ，６８Ｂと同時に形成しても良い。
このように、各サブ画素Ｓ内に保持容量Ｃｓを追加することによって、画素電極５６Ａ，５６Ｂに印加された電圧が減衰しにくくなり、粒子の移動を短時間で行うことが可能となる。
【００８０】
また、図１２に示すように、本実施形態の画素電極５６Ａ，５６Ｂは平面視で櫛歯形状を呈して構成されている。画素電極５６Ａ，５６Ｂは、コンタクトホールＨ１，Ｈ２を介して選択トランジスタＴＲ１，ＴＲ２のドレインに接続される幹部５６１と、当該幹部５６１によって連結された複数の枝部５６２ａ，５６２ｂとを有してなる。各画素電極５６Ａ，５６Ｂは互いにかみ合うようにしてサブ画素Ｓ内に配置されている。
【００８１】
そして、画素電極５６Ａ，５６Ｂの枝部５６２ａ，５６２ｂと保持容量線６９とが重なる領域に保持容量Ｃｓ（図１１）が形成されている。保持容量線６９は、データ線６８Ａ，６８Ｂとの交差部において部分的に細くなっている。データ線６８Ａ，６８Ｂと重なる領域をできるだけ小さくすることで、データ線６８Ａ，６８Ｂとの交差部における容量負荷を抑えることができる。
【００８２】
［第４実施形態］
次に、本発明に係る電気泳動表示装置の第４実施形態について述べる。
図１３は、第４実施形態の電気泳動表示装置の画素構成を示す平面図である。
図１３に示すように、本実施形態では、走査線７６が表示領域において分岐されていない点において先の実施形態と異なっている。
走査線７６は、各サブ画素Ｓの中央部分を通るように延在している。各サブ画素Ｓ内に設けられる一対の選択トランジスタＴＲ１，ＴＲ２は、当該サブ画素Ｓ内で共通の走査線６７に接続されており、これによって選択トランジスタＴＲ１，ＴＲ２の動作が同期され、同時にオン状態あるいはオフ状態となる。
【００８３】
このような走査線６７に交差するようにして複数のデータ線６８Ａ，６８Ｂが略等間隔で配列されており、ある走査線７６が選択されると、選択トランジスタＴＲ１を介してデータ線６８Ａから所定の電位が画素電極７５Ａ（第１電極）に供給され、選択トランジスタＴＲ２を介してデータ線６８Ｂから所定の電位が画素電極７５Ｂ（第２電極）に供給される。
【００８４】
本実施形態の画素電極７５Ａ，７５Ｂは平面視四角形状を呈しており、選択トランジスタＴＲ１，ＴＲ２を覆うとともにデータ線６８Ａ，６８Ｂを部分的に覆っている。
【００８５】
サブ画素内に走査線が２本あると１本に比べ占有面積が増え、開口率が低下する。そこで、本実施形態では、サブ画素Ｓ内を通る走査線７６を１本にまとめた構成にした。さらに、データ線６８Ａ，６８Ａも略等間隔で配列されていることから、走査線７６およびデータ線６８Ａ，６８Ｂの双方において、異物などによるショート不良が防止されて製品性能が向上するとともに製造歩留まりもより安定する。
【００８６】
［第５実施形態］
次に、本発明に係る電気泳動表示装置の第５実施形態について述べる。
図１４は、第５実施形態の電気泳動表示装置の画素構成を示す平面図、図１５は図１４のＣ−Ｃ線に沿う断面図である。
先の各実施形態では画素ごとに２つの画素電極が設けられていたが、本実施形態では、一方の画素電極が隔壁として機能する構成となっている点において先の実施形態と異なっている。
【００８７】
図１４に示すように、本実施形態の各サブ画素Ｓには、一対の選択トランジスタＴＲ１，ＴＲ２と、画素電極８５（第１電極）と、導電性を有した導電性隔壁８３（第２電極）とが設けられている。
選択トランジスタＴＲ１のドレイン電極４１ｄ（図１５）には画素領域を区画する枠状の導電性隔壁８３が接続されており、選択トランジスタＴＲ１を介してデータ線６８Ａからの電位が導電性隔壁８３に供給されるようになっている。
【００８８】
選択トランジスタＴＲ２のドレイン電極には導電性隔壁８３によって区画形成された画素領域の略全体（選択トランジスタＴＲ２の形成領域を除く）に形成された画素電極８５が接続されている。そして、選択トランジスタＴＲ２を介してデータ線６８Ｂからの電位が画素電極８５に供給される。
【００８９】
図１５に示すように、導電性隔壁８３は、カーボンを含む導電性の感光性アクリル樹脂からなる導電部８３Ａ上にカーボンを含まない絶縁性のアクリル材料からなる絶縁膜８３Ｂを重ねて構成されている。基板３０，３１間に配置される導電性隔壁８３は、共通電極３７に接触することから、絶縁性材料を用いて形成してある。選択トランジスタＴＲ１のドレイン電極とのコンタクト部分は導電性のアクリル樹脂で形成してある。この導電性隔壁８３の膜厚は５０μｍである。
【００９０】
画素電極８５は、導電性隔壁８３と平面視で重ならない位置に当該導電性隔壁８３から距離をおいて形成されている。このような構成としたのは、導電性隔壁８３との間でのショートを避けるためである。
【００９１】
また、本実施形態においても素子基板３００側の第１基板３０上において複数のデータ線６８Ａ，６８Ｂは略等間隔に配列されているが、一方のデータ線６８Ｂ側のみが導電性隔壁８３と平面視で重なる位置に形成されている。
【００９２】
本実施形態の構成によれば、画素電極８５と導電性隔壁８３とにそれぞれ異なる電位を供給できる構成となっている。これにより、任意の極性に帯電した粒子は画素電極８５と、共通電極と、導電性隔壁８３との間を移動する。つまり、任意の極性に帯電した粒子を導電性隔壁８３側に吸着させることができるようになるので淡い色表示（中間階調）も可能となる。
【００９３】
導電性隔壁８３を構成する絶縁膜８３Ｂはアクリル材料に限らず、他の絶縁材料を用いることができる。また、例えば導電部８３Ａにもカーボン入りアクリル以外の材料を用いても構わない。
【００９４】
［第６実施形態］
次に、本発明に係る電気泳動表示装置の第６実施形態について述べる。
図１６は、第６実施形態の電気泳動表示装置の画素構成を示す平面図である。
本実施形態が先の実施形態と異なる部分は隔壁が設けられていない点である。また、本実施形態の画素電極９５Ａ（第１画素電極）および画素電極９５Ｂ（第２画素電極）はそれぞれ６本の枝部９５２ａ，９５２ｂを有してなり、互いにかみ合うように配置されている。素子基板３００の第１基板３０上に等間隔で配列されたデータ線６８Ａ，６８Ｂは画素電極９５Ａ，９５Ｂの複数の枝部９５２ａ，９５２ｂのうちの１本と平面視で重なるように形成されている。
【００９５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００９６】
例えば、先の実施形態で述べた隔壁は、各サブ画素Ｓを分離する機能と、素子基板３００と対向基板３１０との距離を保つ機能を有する。この目的を実現する方法は隔壁に限らない。例えば白黒表示のようにサブ画素に分ける必要がない場合や、１画素でマルチカラーを行う構造の場合は、柱状のスペーサーを用いて基板間のスペースを確保しても良い。
また、カプセル型の電気泳動材料を用いても良い。
【００９７】
また、選択トランジスタを構成する半導体としては、上記以外の酸化物半導体や、アモルファスＳｉやポリＳｉ、あるいは有機半導体を用いても良い。選択トランジスタはボトムゲートでなくトップゲート構造でも良い。
【００９８】
また、絶縁材料（基板、ゲート絶縁膜、層間絶縁膜、隔壁）や配線材料は上記に限らない。例えば、絶縁材料として他の無機物やポリイミドのような有機材料を用いても良い。また、画素電極、配線材料として他の金属や有機材料、透明導電体材料シリサイド、導電性ペースト等を用いても良い。
【００９９】
また、層間絶縁膜は塗布法で形成されるので平坦化膜としての機能も兼ねる。
【０１００】
また、画素電極３５は金属とＩＴＯの２層構造にしてもよい。
【０１０１】
また、先の実施形態では電気泳動材料として白黒赤の３粒子を示したが、その他のサブ画素において白黒青の３粒子、白黒緑の３粒子を用いても良い。これら３粒子のいずれをプラス、マイナス、非帯電の粒子とするかの選択は上記の例に限らない。また、３粒子の色の組み合わせは上記以外でも可能である。例えば白赤シアン、白緑マゼンタ、白青イエローを用いても良い。
【０１０２】
またカラーでなく、白黒赤の３粒子系のみで電気泳動表示装置を構成しても良い。この時は白黒表示に加えて赤表示が可能になる。
【０１０３】
さらに本発明においてはプラスとマイナスに帯電した粒子を２つの選択トランジスタで制御するのが根幹である。そのため３粒子系でなく、プラスとマイナスに帯電した２粒子とそれを保持する分散媒の組み合わせとして電気泳動材料でも適用可能である。分散媒は着色しても良いし、無色透明でも良く、目的と構成で適宜使い分けられる。
【０１０４】
また、第２実施形態では、１つのサブ画素Ｓ内に一対の画素電極３６Ａ，３６Ｂをデータ線６８Ａ，６８Ｂの延在方向に沿って配列させたが、例えば、図１７に示すように、走査線６６の延在方向に沿って配列させても良い。
また、各実施形態では液体の分散媒を用いているが、分散媒は気体でもよい。
【０１０５】
[電子機器]
次に、上記各実施形態の電気泳動表示装置を電子機器に適用した場合について説明する。
図１８は、本発明の電気泳動表示装置を適用した電子機器の具体例を説明する斜視図である。
図１８（ａ）は、電子機器の一例である電子ブックを示す斜視図である。この電子ブック１０００は、ブック形状のフレーム１００１と、このフレーム１００１に対して回動自在に設けられた（開閉可能な）カバー１００２と、操作部１００３と、本発明の電気泳動表示装置によって構成された表示部１００４と、を備えている。
【０１０６】
図１８（ｂ）は、電子機器の一例である腕時計を示す斜視図である。この腕時計１１００は、本発明の電気泳動表示装置によって構成された表示部１１０１を備えている。
【０１０７】
図１８（ｃ）は、電子機器の一例である電子ペーパーを示す斜視図である。この電子ペーパー１２００は、紙と同様の質感および柔軟性を有するリライタブルシートで構成される本体部１２０１と、本発明の電気泳動表示装置によって構成された表示部１２０２を備えている。
【０１０８】
例えば電子ブックや電子ペーパーなどは、白地の背景上に文字を繰り返し書き込む用途が想定されるため、消去時残像や経時的残像の解消が必要とされる。
なお、本発明の電気泳動表示装置を適用可能な電子機器の範囲はこれに限定されず、帯電粒子の移動に伴う視覚上の色調の変化を利用した装置を広く含むものである。
【０１０９】
以上の電子ブック１０００、腕時計１１００及び電子ペーパー１２００によれば、本発明に係る電気泳動表示装置が採用されているので、カラー表示手段を備えた電子機器となる。
【０１１０】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【０１１１】
１００  電気泳動表示装置、５  表示部、１３  隔壁、２１  分散媒、２６  負帯電粒子、２７  正帯電粒子、２８  無帯電粒子、３０  第１基板、３１  第２基板、３２  電気泳動層、３５Ａ,３６Ａ,７５Ａ,８５,９５Ａ  画素電極（第１電極）、３５Ｂ,３６Ｂ,７５Ｂ,９５Ｂ  画素電極（第２電極）、３７  共通電極（第３電極）、４０  画素、Ｓ，４０ｒ,４０ｇ,４０ｂ  サブ画素、４１ｂ  ゲート絶縁膜、４２  第１層間絶縁膜、４２Ａ  第１層間絶縁膜、４２Ｂ  第２層間絶縁膜、４３  第２層間絶縁膜、４４  接続電極、４４Ａ  接続電極（第１接続電極）、４４Ｂ  接続電極（第２接続電極）、５６Ａ  画素電極、６１  走査線駆動回路、６２  データ線駆動回路、６６,６６Ａ,６６Ｂ,６７,７６  走査線、６８Ａ  データ線（第１データ線）、６８Ｂ  データ線（第２データ線）、６９  保持容量線、８３,８３Ａ  導電性隔壁（第２電極,隔壁）  ８３Ｂ  絶縁膜、Ｃｓ  保持容量、１００  電気泳動表示装置、３００  素子基板、３１０  対向基板、ＴＲ１  選択トランジスタ（第１トランジスタ）、ＴＲ２  選択トランジスタ（第２トランジスタ）、１０００  電子ブック（電子機器）、１１００  腕時計（電子機器）、１２００  電子ペーパー（電子機器）
【図１】
2011237581.tif 000003
【図２】
2011237581.tif 000004
【図３】
2011237581.tif 000005
【図４】
2011237581.tif 000006
【図５】
2011237581.tif 000007
【図６】
2011237581.tif 000008
【図７】
2011237581.tif 000009
【図８】
2011237581.tif 000010
【図９】
2011237581.tif 000011
【図１０】
2011237581.tif 000012
【図１１】
2011237581.tif 000013
【図１２】
2011237581.tif 000014
【図１３】
2011237581.tif 000015
【図１４】
2011237581.tif 000016
【図１５】
2011237581.tif 000017
【図１６】
2011237581.tif 000018
【図１７】
2011237581.tif 000019
【図１８】
2011237581.tif 000020
【図１９】
2011237581.tif 000021